(57)【特許請求の範囲】
【請求項１】
用紙情報の設定画面を表示し，用紙情報の設定を行う設定手段と，
前回の印刷時に設定されていた用紙情報を記憶する記憶手段と，
前記記憶手段に記憶された用紙情報と，前記設定手段によって設定された用紙情報とを比較し，用紙情報の内容が異なる場合に警告を行う警告手段とを有し，
前記設定手段は，給紙装置の設定が可能であり，
前記記憶手段は，給紙装置ごとに前回の印刷時に設定された用紙情報を記憶し，
前記警告手段は，前記設定手段によって設定された給紙装置について，前記記憶手段に記憶された用紙情報と前記設定手段によって設定された用紙情報とを比較することを特徴とする印刷制御装置。
【請求項２】
用紙情報の設定画面を表示し，用紙情報の設定を行う設定手段と，
前回の印刷時に設定されていた用紙情報を記憶する記憶手段と，
前記記憶手段に記憶された用紙情報と，前記設定手段によって設定された用紙情報とを比較し，用紙情報の内容が異なる場合に警告を行う警告手段とを有し，
前記設定手段は，印刷装置の設定が可能であり，
前記記憶手段は，印刷装置ごとに前回の印刷時に設定された用紙情報を記憶し，
前記警告手段は，前記設定手段によって設定された印刷装置について，前記記憶手段に記憶された用紙情報と前記設定手段によって設定された用紙情報とを比較することを特徴とする印刷制御装置。
【請求項３】
請求項１または請求項２に記載する印刷制御装置において，
前記警告手段は，前回の用紙情報と今回の用紙情報とを含むメッセージを表示することを特徴とする印刷制御装置。
【請求項４】
印刷制御装置を，
用紙情報の設定画面を表示し，用紙情報の設定を行う設定手段と，
前回の印刷時に設定されていた用紙情報を記憶する記憶手段と，
前記記憶手段に記憶された用紙情報と，前記設定手段によって設定された用紙情報とを比較し，用紙情報の内容が異なる場合に警告を行う警告手段として機能させ，
前記設定手段は，給紙装置の設定が可能であり，
前記記憶手段は，給紙装置ごとに前回の印刷時に設定された用紙情報を記憶し，
前記警告手段は，前記設定手段によって設定された給紙装置について，前記記憶手段に記憶された用紙情報と前記設定手段によって設定された用紙情報とを比較することを特徴とする印刷制御装置のプログラム。
【請求項５】
情報処理装置から送られて来る印刷ジョブデータに従って用紙に印刷を行う印刷装置において，
前回の印刷時に設定されていた用紙情報を記憶する記憶手段と，
前記記憶手段に記憶された用紙情報と，前記情報処理装置によって送られて来た印刷ジョブデータの用紙情報とを比較し，用紙情報の内容が異なる場合に警告を行う警告手段とを有し，
前記記憶手段は，給紙装置ごとに前回の印刷時に設定された用紙情報を記憶し，
前記警告手段は，前記印刷ジョブデータに設定された給紙装置について，前記記憶手段に記憶された用紙情報と前記印刷ジョブデータに設定された用紙情報とを比較することを特徴とする印刷装置。
【請求項６】
請求項５に記載する印刷装置において，
前記警告手段は，印刷ジョブデータを送った情報処理装置に対して警告信号を送信することを特徴とする印刷装置。
【発明の詳細な説明】
【技術分野】
【０００１】
本発明は，印刷に際して用紙サイズや用紙種類等の用紙情報を指定する印刷制御装置，印刷装置およびプログラムに関する。さらに詳細には，用紙に関する警告を行う印刷制御装置，印刷装置およびプログラムに関するものである。
【背景技術】
【０００２】
従来から，印刷装置には，複数の用紙サイズないし用紙タイプに対応した給紙装置（給紙カセットや給紙トレイ等）が設けられている。一般的に，このような印刷装置には，同じ用紙設定での連続印刷を想定し，給紙装置にはある程度のまとまった枚数の同一種の紙束が載置される。つまり，給紙装置情報と用紙情報との組合せには変更がないと考えられる。
【０００３】
しかし，次のような場合に問題が生じる。すなわち，ハガキ，封筒，光沢紙などの特別な紙種を指定して印刷を行った場合には，給紙装置内の紙束の入れ替えが行われる。そして，特別な紙種の印刷を行った後，印刷を実行したユーザが用紙を元に戻すことを忘れて放置してしまうことがある。すると，次に印刷するユーザが普段と同じ用紙を想定して印刷しようとした際に，意図しない用紙に印刷してしまうこととなる。このような事態は，１台のプリンタを複数人のユーザで共有する場合に特に生じ易い。
【０００４】
このように，ユーザが意図しない用紙に印刷してしまうことを防ぐため，例えば特許文献１には，用紙サイズの検知機構を設け，ユーザが指定した用紙サイズと一致しない用紙がセットされている場合に，警告表示を行うプリンタ制御方法が開示されている。
【特許文献１】特開平１１−３１４４４４号公報
【発明の開示】
【発明が解決しようとする課題】
【０００５】
しかしながら，前記した従来の特許文献１に開示された技術には，次のような問題があった。すなわち，前記したプリンタ制御方法では，用紙に貼付されたバーコードを読み取るためのバーコードリーダが必要となり，プリンタの構造が複雑になる。さらに，プリンタの構造の複雑化に伴って，コストアップや装置の大型化を招く。また，用紙にもバーコード等の識別手段が貼付されていなければならない。そのため，バーコードが付されていない一般的な用紙を使用するプリンタには適用できない。
【０００６】
本発明は，前記した従来の技術が有する問題点を解決するためになされたものである。すなわちその課題とするところは，簡易な構造で，意図しない用紙に印刷を行うことを未然に防止する印刷制御装置，印刷装置およびプログラムを提供することにある。
【課題を解決するための手段】
【０００７】
この課題の解決を目的としてなされた印刷制御装置は，用紙情報の設定画面を表示し，用紙情報の設定を行う設定手段と，前回の印刷時に設定されていた用紙情報を記憶する記憶手段と，記憶手段に記憶された用紙情報と，設定手段によって設定された用紙情報とを比較し，用紙情報の内容が異なる場合に警告を行う警告手段とを有することを特徴としている。
【０００８】
本発明の印刷制御装置は，設定手段によって用紙情報の設定が可能である。用紙情報とは，用紙に関する情報であり，例えば用紙サイズ，用紙種類が該当する。そして，記憶手段では，前回の印刷時に設定されていた用紙情報を記憶する。そして，警告手段では，前回の印刷時の用紙情報の設定と今回の印刷時の用紙情報とを照合し，用紙情報の内容が互いに異なる場合に警告を行う。警告の方法としては，警告メッセージを画面に表示する，警告音を発する等が適用可能である。
【０００９】
すなわち，前回と今回とで用紙情報が異なる場合，例えば前回がハガキで今回がＡ４サイズの普通紙の場合，給紙装置内の紙束の入れ替えが必要であると推測される。そこで，実際の給紙装置内の状態に関係なく，用紙に関する注意を促す警告を行う。これにより，ユーザが用紙の入れ替えを忘れている際には，そのことを思い出すことができる。また，他のユーザが用紙の入れ替えを忘れている際には，用紙が入れ替えられている可能性があることを認知することができる。よって，意図しない用紙への印刷を未然に防止することができる。
【００１０】
また，本発明の印刷制御装置は，用紙の状態を直接確認していない。そのため，用紙を確認するための読取手段は不要であり，印刷装置としては一般的なものが適用可能である。また，用紙についてもバーコード等の識別手段が不要である。そのため，一般的な用紙の適用が可能である。
【００１１】
また，本発明の印刷制御装置の設定手段は，給紙装置の設定が可能であり，記憶手段は，給紙装置ごとに前回の印刷時に設定された用紙情報を記憶し，警告手段は，設定手段によって設定された給紙装置について，記憶手段に記憶された用紙情報と設定手段によって設定された用紙情報とを比較することとするとよりよい。
【００１２】
すなわち，印刷装置には，複数の給紙装置（トレイ，カセット等）が備えられているものがある。そこで，記憶手段では，給紙装置ごとに用紙情報を記憶し，警告手段では，設定された給紙装置について，前回の用紙情報を今回の用紙情報と比較する。これにより，印刷装置に複数の給紙装置があったとしても，その給紙装置ごとに用紙情報を比較でき，正確な判断を行うことができる。
【００１３】
また，本発明の印刷制御装置の設定手段は，印刷装置の設定が可能であり，記憶手段は，印刷装置ごとに前回の印刷時に設定された用紙情報を記憶し，警告手段は，設定手段によって設定された印刷装置について，記憶手段に記憶された用紙情報と設定手段によって設定された用紙情報とを比較することとするとよりよい。
【００１４】
すなわち，印刷制御装置は，複数の印刷装置と接続されていることがある。そこで，記憶手段では，印刷装置ごとに用紙情報を記憶し，警告手段では，設定された印刷装置について，前回の用紙情報を今回の用紙情報と比較する。これにより，印刷制御装置が複数の印刷装置と接続されていたとしても，その印刷装置ごとに用紙情報を比較でき，正確な判断を行うことができる。
【００１５】
また，本発明の印刷制御装置の警告手段は，前回の用紙情報と今回の用紙情報とを含むメッセージを表示することとするとよりよい。前回の用紙情報および今回の用紙情報を表示することで，ユーザはより詳細な用紙設定を確認することができる。
【００１６】
また，本発明は，印刷制御装置を，用紙情報の設定画面を表示し，用紙情報の設定を行う設定手段と，前回の印刷時に設定されていた用紙情報を記憶する記憶手段と，記憶手段に記憶された用紙情報と，設定手段によって設定された用紙情報とを比較し，用紙情報の内容が異なる場合に警告を行う警告手段として機能させることを特徴とする印刷制御装置のプログラムを含んでいる。
【００１７】
また，本発明は，情報処理装置から送られて来る印刷ジョブデータに従って用紙に印刷を行う印刷装置であって，前回の印刷時に設定されていた用紙情報を記憶する記憶手段と，記憶手段に記憶された用紙情報と，情報処理装置によって送られて来た印刷ジョブデータの用紙情報とを比較し，用紙情報の内容が異なる場合に警告を行う警告手段とを有することを特徴とする印刷装置を含んでいる。
【発明の効果】
【００１８】
本発明によれば，簡易な構造で，意図しない用紙に印刷を行うことを未然に防止する印刷制御装置，印刷装置およびプログラムが実現している。
【発明を実施するための最良の形態】
【００１９】
以下，本発明にかかる印刷制御装置を具体化した実施の形態について，添付図面を参照しつつ詳細に説明する。本形態は，複数の給紙装置を備えたプリンタと，プリント要求元であるパーソナルコンピュータ（ＰＣ）とがネットワークで接続されたプリントシステムに本発明を適用したものである。
【００２０】
［プリントシステムの構成］
実施の形態のプリントシステム１００は，図１に示すように，情報端末装置としてのＰＣ１ａ，１ｂと，複数の給紙装置を備えたプリンタ２ａ，２ｂとを備えている。プリントシステム１００では，各ＰＣ１ａ，１ｂとプリンタ２ａとがＬＡＮ４０のＬＡＮケーブルにて接続されている。さらに，ＰＣ１ａとプリンタ２ｂとがＵＳＢケーブル４１にて接続されている。
【００２１】
なお，プリントステム１００を構成するプリンタは２台に限るものではなく，何台接続してもよい。また，プリントシステム１００を構成するＰＣも２台に限定するものではなく，何台接続してもよい。また，各ＰＣと各プリンタとの接続は，有線ＬＡＮケーブルやＵＳＢケーブルに限らず，その他のシリアル通信ケーブル，パラレル通信ケーブル，さらには無線ＬＡＮ等の無線通信経路とすることも可能である。
【００２２】
ＰＣ１ａは，図２に示すように，各種演算処理を実行するＣＰＵ１１と，当該ＰＣ１の起動時にＣＰＵ１１が行う起動処理のプログラム（ＢＩＯＳ）等を記憶したＲＯＭ１２と，ＣＰＵ１１が各種処理を行う際に一時的な記憶領域として利用されるＲＡＭ１３と，各種のプログラムやデータを記憶したハードディスクドライブ（ＨＤＤ）１４とを有している。
【００２３】
また，ＰＣ１ａは，キーボードやマウス等からなる操作部１５と，液晶ディスプレイ等からなる表示部１６と，各プリンタとの間で信号のやりとりを行うプリンタポートインターフェース１７（パラレルインターフェース，ＵＳＢインターフェース等）と，ＬＡＮ，インターネット等のネットワークを介して信号のやりとりを行うネットワークインターフェース１８とを有している。
【００２４】
さらに，ＰＣ１ａのＨＤＤ１４には，オペレーティングシステム（ＯＳ）や，画像データを編集可能なアプリケーション（例えば，文書作成ソフト，作図ソフト，表計算ソフト，写真データ編集ソフト等）や，各プリンタに印刷データを送信するプリンタドライバが記憶されている。また，印刷データを送信する際に用紙種類を判定し，その結果に従って警告表示を行うプログラムが記憶されている。事前警告処理については後述する。なお，ＰＣ１ｂについても同様の構成になっている。
【００２５】
プリンタ２ａは，各種演算処理を実行するＣＰＵ２１と，当該プリンタ２ａの起動時にＣＰＵ２１が行う起動処理のプログラム等を記憶したＲＯＭ２２と，ＣＰＵ２１が各種処理を行う際に一時的な記憶領域として利用されるＲＡＭ２３と，各種のプログラムやデータ等を記憶したハードディスクドライブ（ＨＤＤ）２４とを有している。
【００２６】
また，プリンタ２ａは，当該プリンタ２ａの筐体外部に配設された複数のボタンからなる操作部２５と，同じく筐体外部に配設された液晶表示パネル等からなる表示部２６と，外部情報端末との間で信号のやりとりを行うプリンタポートインターフェース２７（パラレルインターフェース，ＵＳＢインターフェース等）と，ＬＡＮ，インターネット等のネットワークを介して信号のやりとりを行うネットワークインターフェース２８とを有している。
【００２７】
さらに，プリンタ２ａは，記録媒体としての用紙やＯＨＰシートに画像を形成する印字部３０を有している。印字部３０は，電子写真方式，インクジェット方式，その他の一般的な画像形成方式を採用していればよい。また，カラー画像の形成が可能であっても，モノクロ画像専用であってもよい。
【００２８】
さらに，プリンタ２ａは，原稿を読み取り，読み取った原稿の画像データを作成するスキャナ部３１を有している。原稿の読取方式としては，フラットベッド（原稿固定走査）方式と，ＡＤＦ（Automatic Document Feeder）（原稿移動走査）方式とがあり，それぞれの読取方式を実現する機構を有している。なお，プリンタ２ｂについても同様の構成になっている。
【００２９】
［事前警告処理］
続いて，印刷実行時の今回の用紙設定と前回の用紙設定とが一致するか否かを判定する事前警告処理について説明する。事前警告処理については，ＰＣ側で行ってもよいし，プリンタ側で行ってもよい。以下，第１の形態としてＰＣ側で行う事前警告処理を，第２の形態としてプリンタ側で行う事前警告処理を，それぞれ説明する。
【００３０】
［第１の形態］
［事前警告処理の機能構成］
ＰＣ１ａの事前警告処理を行う際の機能構成について説明する。ＰＣ１ａには，図３に示すように，印刷指示を出力するアプリケーション７と，印刷ジョブデータを指定プリンタに出力するプリンタドライバ６とが組み込まれている。また，プリンタドライバ６は，印刷設定部６１と，情報テーブル６２と，用紙判定部６３とを備えている。
【００３１】
印刷設定部６１は，印刷装置であるプリンタの選択やそのプリンタに対する印刷設定を行う機能を有している。具体的に，印刷設定部６１は，図４に示すような印刷設定ダイアログボックス６１０を表示する。そして，出力先の印刷装置の選択およびその印刷装置に対する印刷設定に供する。
【００３２】
印刷設定としては，主として，用紙設定と給紙装置設定とがある。さらに，用紙設定としては，用紙サイズ（例えば，Ａ判，Ｂ判のサイズやハガキ，レターのサイズ）の選択と，用紙種類（例えば，普通紙，厚紙，再生紙）の選択がある。この他，印刷方向や印刷部数の設定が可能である。一方，給紙装置設定としては，選択された印刷装置が具備する給紙装置（給紙カセットや給紙トレイ等）が表示され，それらの給紙装置の中から１つの給紙装置の選択が可能である。
【００３３】
情報テーブル６２は，印刷設定部６１にて設定した印刷設定を記憶するものである。本形態では，印刷設定部６１にて設定した印刷装置に対する用紙設定を給紙装置ごとに記憶する。例えば，本形態のプリンタ２ａがプリンタ名を「プリンタＡ」として登録され，プリンタ２ａが給紙装置として，３つの給紙装置（給紙トレイ，給紙カセット１，給紙カセット２）を備え，プリンタ２ｂがプリンタ名を「プリンタＢ」として登録され，プリンタ２ｂが給紙装置として，２つの給紙装置（給紙トレイ，給紙カセット）を備えていた場合には，図５に示すように印刷装置ごと，さらには印刷装置の給紙装置ごとに用紙の種類およびサイズが登録される。
【００３４】
用紙判定部６３は，用紙の設定内容の判定を行う機能と，判定結果に応じて警告メッセージを表示する機能とを有している。具体的に，用紙判定部６３は，前回の用紙設定の内容，より詳細には前回の用紙種類と用紙サイズの設定内容と，今回の用紙設定の内容とを照合し，一致するか否かを判定する。さらに，不一致と判定された際には，警告メッセージを表示する。メッセージの内容は，ユーザに用紙設定が不一致であることを認識させるものであればよく，例えば図６に示すような警告メッセージ６３０を表示する。
【００３５】
なお，警告メッセージとしては，不一致であったことを表示するだけではなく，前回の用紙設定および今回の用紙設定の具体的な設定内容を付加してもよい。例えば，警告ダイアログボックス６３０に詳細ボタン６３３を付ける。そして，その詳細ボタン６３３を押下することで，図７に示すように，前回の用紙設定と今回の用紙設定とを具体的に表記する詳細ダイアログボックス６３５を表示する。これにより，ユーザはより詳細な情報を知り得る。
【００３６】
［事前警告処理の手順］
続いて，ＰＣ１ａにて事前警告処理を実現する手順を，図８に示すフローチャートを参照しつつ詳細に説明する。
【００３７】
まず，印刷指示を受け付ける（Ｓ１０１）。すなわち，ＰＣ１ａに組み込まれているアプリケーション７から出力される印刷ジョブデータを取得する。印刷ジョブデータには，印刷データの他，給紙装置設定や用紙設定が付加されている。なお，これらの設定は，あらかじめ図５に示した印刷設定ダイアログボックス６１０等を利用して，印刷指示を出力する前に設定される。
【００３８】
次に，取得した印刷ジョブデータを基に，その印刷ジョブデータに設定されている給紙装置の設定（今回の給紙装置設定）を取得する（Ｓ１０２）。すなわち，今回の印刷について，どの印刷装置のどの給紙装置を利用するかを取得する。そして，今回の印刷で利用する給紙装置に対応する前回の用紙設定が情報テーブル６２に保存されているか否かを判断する（Ｓ１０３）。保存されていなければ（Ｓ１０３：ＮＯ），Ｓ１０４からＳ１０６の処理をバイパスし，Ｓ１０９の処理に移行する。
【００３９】
一方，保存されていれば（Ｓ１０３：ＹＥＳ），用紙設定（前回の用紙設定）を情報テーブル６２から取得する（Ｓ１０４）。具体的に本形態では，選択されている給紙装置に対する前回の印刷時の用紙サイズと用紙種類とを取得する。また，取得した印刷ジョブデータを基に，その印刷ジョブデータに設定されている用紙の設定（今回の用紙設定）を取得する（Ｓ１０５）。
【００４０】
次に，前回の用紙設定と今回の用紙設定とを照合し，両者が同一設定であるか否かを判定する（Ｓ１０６）。すなわち，前回と今回とで，用紙サイズおよび用紙種類が同一であるか否かを判断する。同一であると判定された場合には（Ｓ１０６：ＹＥＳ），用紙の入れ替えがなかったと推測され，Ｓ１０９の処理に移行する。
【００４１】
一方，同一ではないと判定された場合には（Ｓ１０６：ＮＯ），用紙の入れ替えがあったと推測される。そこで，図６に示したように給紙装置と用紙設定との組み合わせについて今回と前回とで異なることを警告するメッセージを表示する（Ｓ１０７）。これにより，ユーザに対して，印刷を所望する用紙と実際に給紙装置に載置されている用紙とのミスマッチに関する注意を喚起することができる。
【００４２】
メッセージを表示した警告ダイアログボックス６３０には，印刷を続行することを選択させる続行ボタン６３１と，取り消すことを選択させるキャンセルボタン６３２とが表示される。そして，いずれか一方のボタンが押下されるまで待機する（Ｓ１０８）。取り消しが選択された場合には（Ｓ１０８：ＮＯ），本処理を終了する。一方，続行が選択された場合には（Ｓ１０８：ＹＥＳ），Ｓ１０９の処理に移行して，本処理を続行する。
【００４３】
次に，Ｓ１０９の処理として，今回の用紙設定を情報テーブル６２に記憶する（Ｓ１０９）。すなわち，情報テーブル６２に記憶される用紙設定の内容を更新する。これにより，今回の用紙設定の内容が次回の事前警告処理における前回の用紙設定になる。その後，印刷ジョブデータを指定されたプリンタに出力する（Ｓ１１０）。これにより，本事前警告処理を終了する。
【００４４】
以上詳細に説明したように実施の形態のＰＣ１ａは，印刷設定部６１によって用紙情報（用紙サイズや用紙種類）の設定を可能にしている。そして，情報テーブル６２では，前回の印刷時に設定されていた用紙情報を記憶している。そして，用紙判定部６３では，前回の印刷時の用紙情報の設定と今回の印刷時の用紙情報とを照合し，用紙情報の内容が互いに異なる場合に警告メッセージを表示している。
【００４５】
すなわち，前回と今回とで用紙情報が異なる場合，実際の給紙装置内の状態に関係なく，用紙に関する注意を喚起する警告を行うこととしている。これにより，ユーザが用紙の入れ替えを忘れている際には，そのことを思い出すことができる。また，他のユーザが用紙の入れ替えを忘れている際には，用紙が入れ替えられている可能性があることを認知することができる。よって，意図しない用紙への印刷を未然に防止することができる。
【００４６】
また，本形態のＰＣ１ａは，用紙の状態を直接確認していない。そのため，用紙を確認するための読取手段は不要であり，プリンタとしては一般的なものが適用可能である。よって，プリントシステム１００を構築する上での機器構成がシンプルである。また，用紙についてもバーコード等の識別手段が不要である。そのため，一般的な用紙の適用が可能であり，適用範囲が広い。従って，簡易な構造で，意図しない用紙に印刷を行うことを未然に防止する印刷制御装置およびプログラムが実現している。
【００４７】
また，本形態のＰＣ１ａは，給紙装置ごとに，さらには印刷装置ごとに，前回の印刷時の用紙情報を記憶している。これにより，印刷装置に複数の給紙装置があったとしても，さらにはＰＣ１ａが複数の印刷装置と接続されていたとしても，その印刷装置の給紙装置ごとに用紙情報を比較でき，正確な判別を行うことができる。
【００４８】
［第２の形態］
［事前警告処理の機能構成］
プリンタ２ａの事前警告処理を行う際の機能構成について説明する。プリンタ２ａは，図９に示すように，情報テーブル８２と，用紙判定部８３とを備えている。
【００４９】
情報テーブル８２は，給紙装置ごとに，前回の印刷処理で設定されていた印刷設定を記憶するものである。なお，本形態の情報テーブル８２では，第１の形態と異なり，図１０に示すように印刷装置についての項目は無い。その他の設定項目としては，第１の形態の情報テーブル６２と同様である。
【００５０】
用紙判定部８３は，用紙の設定内容の判定を行う機能と，判定結果に応じて警告信号をＰＣに送信する機能とを有している。具体的に，用紙判定部８３は，第１の形態と同様に，前回の用紙設定の内容と今回の用紙設定の内容とを照合し，同一内容であるか否かを判定する。さらに，不一致と判定された際には，警告信号を印刷ジョブデータを送信したプリンタに対して出力する。警告信号としては，不一致であったことを認識可能な信号であればよく，さらに具体的なメッセージを付加して出力してもよい。
【００５１】
［事前警告処理の手順］
続いて，プリンタ２ａにて事前警告処理を実現する手順を，図１１に示すフローチャートを参照しつつ詳細に説明する。
【００５２】
まず，印刷ジョブを受け付ける（Ｓ２０１）。すなわち，各ＰＣから出力される印刷ジョブデータを取得する。印刷ジョブデータには，印刷データの他，給紙装置設定や用紙設定が付加されている。さらに，印刷ジョブデータには，送信元となったＰＣのＩＰアドレスが付加されている。
【００５３】
次に，取得した印刷ジョブデータを基に，その印刷ジョブデータに設定されている給紙装置の設定（今回の給紙装置設定）を取得する（Ｓ２０２）。すなわち，今回の印刷について，どの給紙装置を利用するかを取得する。そして，今回の印刷で利用する給紙装置に対応する前回の用紙設定が情報テーブル８２に保存されているか否かを判断する（Ｓ２０３）。保存されていなければ（Ｓ２０３：ＮＯ），Ｓ２０４からＳ２０６の処理をバイパスし，Ｓ２１１の処理に移行する。
【００５４】
一方，保存されていれば（Ｓ２０３：ＹＥＳ），用紙設定（前回の用紙設定）を情報テーブル８２から取得する（Ｓ２０４）。具体的に本形態では，選択されている給紙装置に対する前回の用紙サイズと用紙種類とを取得する。また，取得した印刷ジョブデータを基に，その印刷ジョブデータに設定されている用紙の設定（今回の用紙設定）を取得する（Ｓ２０５）。
【００５５】
次に，前回の用紙設定と今回の用紙設定とを照合し，両者が同一設定であるか否かを判定する（Ｓ２０６）。すなわち，前回と今回とで，用紙サイズおよび用紙種類が同一であるか否かを判断する。同一であると判定された場合には（Ｓ２０６：ＹＥＳ），用紙の入れ替えがなかったと推測され，Ｓ２１１の処理に移行する。
【００５６】
一方，同一ではないと判定された場合には（Ｓ２０６：ＮＯ），用紙の入れ替えがあったと推測される。そこで，給紙装置と用紙設定との組み合わせについて今回と前回とで異なることについての警告信号を，印刷ジョブデータの送信元となったＰＣに対して送信する（Ｓ２０７）。送信先の情報については，印刷ジョブデータに付加されるＩＰアドレスを参照する。
【００５７】
プリンタ２ａから出力される警告信号を受け取ったＰＣでは，図６に示したような警告メッセージを表示する。これにより，ユーザに対して，印刷を所望する用紙と実際に給紙装置に載置されている用紙とのミスマッチに関する注意を喚起することができる。メッセージには，印刷を続行するか取り消すかを選択するボタンが表示され，いずれか一方のボタンが押下される。続行ボタンないし取り消しボタンの押下は，警告情報に対する応答信号としてプリンタ２ａに出力される。
【００５８】
プリンタ２ａの説明に戻り，プリンタ２ａではＰＣからの応答信号を取得する（Ｓ２０８）。そして，その応答信号の内容が印刷の続行であるか取り消しであるかを判断する（Ｓ２０９）。取り消しが選択された場合には（Ｓ２０９：ＮＯ），当該印刷ジョブデータを破棄する（Ｓ２１０）。そして，Ｓ２１０の処理後，本処理を終了する。一方，続行が選択された場合には（Ｓ２０９：ＹＥＳ），Ｓ２１１の処理に移行して，本処理を続行する。
【００５９】
次に，Ｓ２１１の処理として，今回の用紙設定を情報テーブル８２に記憶する（Ｓ２１１）。すなわち，情報テーブル８２に記憶される用紙設定の内容を更新する。これにより，今回の用紙設定の内容が次回の事前警告処理における前回の用紙設定になる。その後，印刷ジョブデータを印刷部３０に送り，画像形成を行う（Ｓ２１２）。これにより，本事前警告処理を終了する。
【００６０】
以上詳細に説明したように実施の形態のプリンタ２ａは，情報テーブル８２によって，前回の印刷時に設定されていた用紙情報を記憶している。そして，用紙判定部８３では，前回の印刷時の用紙情報の設定と今回の印刷時の用紙情報とを照合し，用紙情報の内容が互いに異なる場合に，印刷ジョブデータを送信したＰＣに対して警告情報を出力している。これにより，前回と今回とで用紙情報が異なる場合，ユーザに対して用紙に関する注意を喚起することができる。また，本形態でも，第１の形態と同様に，警告を行うに際し，用紙の読み取り手段等を必要としない。よって，簡易な構成で，意図しない用紙に印刷を行うことを未然に防止することができる。
【００６１】
なお，本実施の形態は単なる例示にすぎず，本発明を何ら限定するものではない。したがって本発明は当然に，その要旨を逸脱しない範囲内で種々の改良，変形が可能である。例えば，画像形成装置としてはプリンタに限るものではなく，ＭＦＰ，ＦＡＸ等であってもよい。また，印刷制御装置としてはＰＣに限るものではなく，ワークステーション，携帯情報端末装置等であってもよい。
【００６２】
また，第１の形態（ＰＣ）では，１つの情報テーブル６２にすべてのプリンタの情報が記憶されているが，これに限るものではない。すなわち，プリンタごとに情報テーブルを設け，選択されたプリンタに応じて適切な情報テーブルにアクセスするようにしてもよい。
【００６３】
また，実施の形態では，警告手段として，警告メッセージを表示することとしているが，これに限るものではない。例えば警告音の発信であってもよい。
【図面の簡単な説明】
【００６４】
【図１】実施の形態に係るプリントシステムの構成を示す図である。
【図２】実施の形態に係るプリントシステム構成するＰＣおよびプリンタの詳細構成を示すブロック図である。
【図３】第１の形態に係るＰＣの事前警告処理の機能構成を示すブロック図である。
【図４】印刷設定を行うダイアログボックスの一例を示す図である。
【図５】第１の形態におけるＰＣの情報テーブルの一例を示す図である。
【図６】警告メッセージを表示する警告ダイアログボックスの一例を示す図である。
【図７】警告メッセージの詳細を表示する詳細ダイアログボックスの一例を示す図である。
【図８】第１の形態におけるＰＣの事前警告処理を示すフローチャートである。
【図９】第２の形態に係るプリンタの事前警告処理の機能構成を示すブロック図である。
【図１０】第２の形態におけるプリンタの情報テーブルの一例を示す図である。
【図１１】第２の形態におけるプリンタの事前警告処理を示すフローチャートである。
【符号の説明】
【００６５】
１ａ，１ｂ  ＰＣ
２ａ，２ｂ  プリンタ
６      プリンタドライバ
６１    印刷設定部
６１０  印刷設定ダイアログボックス
６２    情報テーブル
６３    用紙判定部
６３０  警告ダイアログボックス
７      アプリケーション
８２    情報テーブル
８３    用紙判定部
１００  プリントシステム
【図１】
0004915330.tif 000002
【図２】
0004915330.tif 000003
【図３】
0004915330.tif 000004
【図４】
0004915330.tif 000005
【図５】
0004915330.tif 000006
【図６】
0004915330.tif 000007
【図７】
0004915330.tif 000008
【図８】
0004915330.tif 000009
【図９】
0004915330.tif 000010
【図１０】
0004915330.tif 000011
【図１１】
0004915330.tif 000012